(57)【要約】【課題】施設の省エネルギ化を図りながらも、冷房負荷と暖房負荷の両方に対応して空調対象域の空調を適切に行うこと。【解決手段】セントラル方式の空調装置１が、空調対象域Ｋの冷房のみを行う冷房専用装置として構成され、外調機１０が、空調対象域Ｋに導入する空気を加熱可能な空気加熱手段１２を備えた換気暖房機として構成されている。【選択図】図１
2015206519.tif 000002
【特許請求の範囲】
【請求項１】
施設の熱源設備から熱媒体を施設内の空調対象域に設置した室内機に循環供給して空調対象域の温度を調整するセントラル方式の空調装置と、外気を取り込んで空調対象域に導入する換気用の外調機が備えられている空調システムであって、
前記セントラル方式の空調装置が、前記空調対象域の冷房のみを行う冷房専用装置として構成され、
前記外調機が、前記空調対象域に導入する空気を加熱可能な空気加熱手段を備えた換気暖房機として構成されている空調システム。
【請求項２】
前記外調機は、前記空気加熱手段で加熱しない状態で前記空調対象域に外気のみを導入する換気専用運転と、前記空気加熱手段で加熱した加熱空気を前記空調対象域に吹き出す暖房運転との切り替えが可能に構成されているとともに、
前記暖房運転では、還気路を通して給送される空調対象域の域内空気と取り込み外気との合流空気を前記空気加熱手段で加熱可能に構成されている請求項１記載の空調システム。
【請求項３】
前記空調対象域の空調を制御する制御手段が備えられ、
前記制御手段は、前記施設の稼動初期の時間帯において前記外調機に前記暖房運転を実行させるように構成されている請求項２記載の空調システム。
【請求項４】
前記空調対象域の空調を制御する制御手段が備えられ、
前記制御手段は、前記空調対象域の人数又は二酸化炭素濃度に応じて前記外調機による空調対象域への外気導入量を調整する外気導入量制御を実行し、
且つ、この外気導入量制御の実行下において、前記暖房運転時には、前記外調機による空調対象域への吹出風量が設定風量以上になるように、前記還気路を通して取り込み外気に合流させる域内空気量を調整する暖房風量制御を実行するように構成されている請求項１から３のいずれか１項に記載の空調システム。
【請求項５】
施設の熱源設備から熱媒体を施設内の空調対象域に設置した室内機に循環供給して空調対象域の温度を調整するセントラル方式の空調装置と、外気を取り込んで空調対象域に導入する換気用の外調機が備えられている施設の空調システムであって、
前記セントラル方式の空調装置が、前記空調対象域の暖房のみを行う暖房専用装置として構成されているとともに、
前記外調機が、前記空調対象域に導入する空気を冷却可能な空気冷却手段を備えた換気冷房機として構成されている空調システム。
【発明の詳細な説明】
【技術分野】
【０００１】
本発明は、施設の熱源設備から熱媒体を施設内の空調対象域に設置した室内機に循環供給して空調対象域の温度を調整するセントラル方式の空調装置と、外気を取り込んで空調対象域に導入する換気用の外調機が備えられている空調システムに関する。
【背景技術】
【０００２】
この種の空調システムは、施設の屋上等に設置された冷却塔等の熱源設備を用いたセントラル方式の空調装置によって施設内の空調対象域の温度調整を効率的に行いながら、換気用の外調機によって空調対象域に外気を導入し、併せて排気手段等によって空調対象域から排気することで、空調対象域内の換気を行うようにしている（例えば、特許文献１参照）。
【０００３】
ところで、発熱源となる多数の人が来場するショッピングモールやスーパー、或いは、発熱源となる生産装置が多数存在する生産工場等の施設では、施設の稼動中の暖房負荷が皆無に等しい場合がある。そこで、このような施設の空調システムでは、セントラル方式の空調装置を冷房のみを行う冷房専用装置とすることで（つまり、空調の温調機能を冷房機能に絞ることで）、セントラル方式の空調装置を簡素化し、施設の省エネルギ化を図ることが行われている。
【先行技術文献】
【特許文献】
【０００４】
【特許文献１】特開２００６−１４５０７０号公報
【発明の概要】
【発明が解決しようとする課題】
【０００５】
上述の如き空調システムを採用した施設でも、作業員による準備作業等は、稼動初期などの発熱源からの発熱が十分にない時間帯に空調対象域で行われる。しかしながら、気温の低い冬期の稼動初期では空調対象域の温度が低すぎて作業員の作業環境として適さず、作業員による作業効率の低下を招く虞がある。
【０００６】
この実情に鑑み、本発明の主たる課題は、施設の省エネルギ化を図りながらも、冷房負荷と暖房負荷の両方に対応して空調対象域の空調を適切に行うことのできる空調システムを提供する点にある。
【課題を解決するための手段】
【０００７】
本発明の第１特徴構成は、施設の熱源設備から熱媒体を施設内の空調対象域に設置した室内機に循環供給して空調対象域の温度を調整するセントラル方式の空調装置と、外気を取り込んで空調対象域に導入する換気用の外調機が備えられている空調システムであって、
前記セントラル方式の空調装置が、前記空調対象域の冷房のみを行う冷房専用装置として構成され、
前記外調機が、前記空調対象域に導入する空気を加熱可能な空気加熱手段を備えた換気暖房機として構成されている点にある。
【０００８】
上記構成によれば、セントラル方式の空調装置が空調対象域の冷房のみを行う冷房専用装置として構成されているから、温調機能を冷房に絞る形態で装置構成を簡素化することが可能となり、施設の省エネルギ化を図ることができる。
【０００９】
それでいて、換気用の外調機が、空調対象域に導入する空気を加熱可能な空気加熱手段を備えた換気暖房機として構成されているから、この換気用の外調機を用いてセントラル方式の空調装置による温調機能（冷房機能）とは逆の温調機能（暖房機能）を発揮させることが可能となり、冷房負荷と暖房負荷の両方に対応して空調対象域の空調を適切に行うことができる。
【００１０】
本発明の第２特徴構成は、前記外調機は、前記空気加熱手段で加熱しない状態で前記空調対象域に外気のみを導入する換気専用運転と、前記空気加熱手段で加熱した加熱空気を前記空調対象域に吹き出す暖房運転との切り替えが可能に構成されているとともに、
前記暖房運転では、還気路を通して給送される空調対象域の域内空気と取り込み外気との合流空気を前記空気加熱手段で加熱可能に構成されている点にある。
【００１１】
つまり、上記構成によれば、空調対象域に暖房負荷がないときは、外調機による換気専用運転によって空気加熱手段で加熱しない状態で空調対象域に外気のみを導入することで、空調対象域に対して外気を効率的に導入することができる。空調対象域に暖房負荷が存在するときは、外調機による暖房運転によって空気加熱手段で加熱した加熱空気を空調対象域に吹き出すことで、空調対象域を暖房することができる。
【００１２】
しかも、換気用の外調機による吹出温度には限界があるため（つまり、吹出温度を極高温にはできないため）、外調機で空調対象域の暖房を行うには相応の吹出風量が必要になる。そこで、本構成によれば、外調機による暖房運転では、還気路を通して給送される空調対象域の域内空気と取り込み外気との合流空気を空気加熱手段で加熱可能に構成されているから、例えば、暖房負荷の大きな外気の導入量を換気に必要な最小限に絞りながら、吹出風量が不足する場合は外気よりも暖房負荷の小さな空調対象域の域内空気を取り込み外気に合流させて吹出風量不足分を賄うことが可能になり、空調対象域を効率的に暖房することができる。
【００１３】
本発明の第３特徴構成は、前記空調対象域の空調を制御する制御手段が備えられ、
前記制御手段は、前記施設の稼動初期の時間帯において前記外調機に前記暖房運転を実行させるように構成されている点にある。
【００１４】
つまり、発熱源となる多数の人が来場するショッピングモールやスーパー、或いは、発熱源となる生産装置が多数存在する生産工場等の稼動中期の暖房負荷が皆無に等しい施設でも、作業員による準備作業等は発熱源からの発熱が十分にない稼動初期の時間帯に行われるため、気温の低い冬期の稼動初期の時間帯では空調対象域の温度が低すぎて作業員の作業環境として適さない場合がある。
【００１５】
これに対して、上記構成によれば、前記制御手段は、発熱源からの発熱が十分にない稼動初期の時間帯に前記外調機に暖房運転を実行させるから、この外調機の暖房運転によって、施設の稼動初期の時間帯に空調対象域の温度を上昇させることができる。従って、気温の低い冬期の稼動初期の時間帯でも空調対象域を作業員の作業環境に適した温度にすることができる。
【００１６】
本発明の第４特徴構成は、前記空調対象域の空調を制御する制御手段が備えられ、
前記制御手段は、前記空調対象域の人数又は二酸化炭素濃度に応じて前記外調機による空調対象域への外気導入量を調整する外気導入量制御を実行し、
且つ、この外気導入量制御の実行下において、前記暖房運転時には、前記外調機による空調対象域への吹出風量が設定風量以上になるように、前記還気路を通して取り込み外気に合流させる域内空気量を調整する暖房風量制御を実行するように構成されている点にある。
【００１７】
つまり、外調機による外気導入量に関して、温調された空調対象域に対して外気を導入するのは空調負荷の増大を招くため、換気に必要な最小限度に外気導入量を絞るのが空調効率の面では好ましい。
【００１８】
そこで、本構成では、前記制御手段は、前記空調対象域の人数又は二酸化炭素濃度に応じて前記外調機による空調対象域への外気導入量を調整する外気導入量制御を実行するように構成されている。そのため、この制御手段による外気導入量制御によって、外調機による外気導入量を空調対象域の実情に応じた最小限度に絞ることが可能になり、空調効率を高く保つことができる。
【００１９】
一方、外調機による暖房風量に関して、前述のとおり、換気用の外調機による吹出温度には限界があるため（つまり、吹出温度を極高温にはできないため）、外調機で空調対象域の暖房を行うには相応の吹出風量が必要になる。そのため、上述の如き外気導入量制御の実行下では、外気導入量を空調対象域の実情に応じた最小限度に絞ると、外調機による暖房運転において吹出風量が不足し、そのことで、外調機による暖房効果が不十分になる虞がある。
【００２０】
これに対し、本構成では、前記制御手段は、外気導入量制御の実行下において、前記暖房運転時には、前記外調機による空調対象域への吹出風量が設定風量以上になるように、前記還気路を通して取り込み外気に合流させる域内空気量を調整する暖房風量制御を実行するように構成されている。そのため、この暖房風量制御によって、外気だけでは吹出風量が不足する場合において外気よりも暖房負荷の小さな空調対象域の域内空気を取り込み外気に合流させて吹出風量不足分を賄うことができ、空調対象域を効率的に暖房することができる。
【００２１】
すなわち、この構成によれば、制御手段による外気導入量制御によって、外気導入量を空調対象域の実情に応じて最小限に絞る形態で空調効率を高く保つことができるとともに、制御手段による暖房風量制御によって、外気導入量制御の実行下でも域内空気を活用して吹出風量を確保する形態で外調機による暖房機能を有効且つ効率的に発揮することができる。
【００２２】
本発明の第５特徴構成は、施設の熱源設備から熱媒体を施設内の空調対象域に設置した室内機に循環供給して空調対象域の温度を調整するセントラル方式の空調装置と、外気を取り込んで空調対象域に導入する換気用の外調機が備えられている施設の空調システムであって、
前記セントラル方式の空調装置が、前記空調対象域の暖房のみを行う暖房専用装置として構成されているとともに、
前記外調機が、前記空調対象域に導入する空気を冷却可能な空気冷却手段を備えた換気冷房機として構成されている点にある。
【００２３】
つまり、上述の第１特徴構成とは逆に、セントラル方式の空調装置が空調対象域の暖房のみを行う暖房専用装置として構成されているから、温調機能を暖房に絞る形態で装置構成を簡素化することが可能となり、施設の省エネルギ化を図ることができる。
【００２４】
それでいて、換気用の外調機が、空調対象域に導入する空気を冷却可能な空気冷却手段を備えた換気冷房機として構成されているから、この換気用の外調機を用いてセントラル方式の空調装置による温調機能（暖房機能）とは逆の温調機能（冷房機能）を発揮させることが可能となり、冷房負荷と暖房負荷の両方に対応して空調対象域の空調を適切に行うことができる。
【図面の簡単な説明】
【００２５】
【図１】空調システムのシステム構成図（暖房運転）
【図２】空調システムのシステム構成図（換気専用運転＋冷房運転）
【発明を実施するための形態】
【００２６】
図１、図２は、ショッピングモール等の施設Ｓに採用した空調システム１００の全体構成を示している。図１及び図２は、空調システム１００の概略構成を示す同様の図であり、流体が通流する部位、及び、作動する機器を太線にて示している。この実施形態では、空調システム１００をショッピングモール等の複数階を有する施設Ｓに採用しているので、空調対象域Ｋが店舗等を含む各階の空間となっており、図１及び図２では、複数階のうちの途中の２階のみを模式的に示している。
【００２７】
この空調システム１００は、セントラル方式の空調装置１と外調機１０とが主要構成として備えられている。セントラル方式の空調装置１で施設Ｓ内の空調対象域Ｋの温度を調整するとともに、外調機１０で空調対象域Ｋに外気Ｇを導入し、これに併せて自然排気や機械排気を行う排気手段（図示省略）で空調対象域Ｋから排気することで、空調対象域Ｋを所定の温度・ＣＯ２濃度に調整するように構成されている。
【００２８】
セントラル方式の空調装置１は、施設Ｓの屋上等に設置した熱源設備２と、空調対象域Ｋに設置した複数の室内機３と、熱源設備２から室内機３に熱媒体Ｎを循環供給する循環供給手段４を備えている。
【００２９】
熱源設備２は、冷熱を発生させる冷熱源設備として構成され、例えば、冷却塔やチラー等から構成されている。熱媒体Ｎ（図２参照）としては、冷水、ブライン、冷媒等の空調対象域Ｋの空気に対して吸熱作用を発揮し得る種々のものを採用することができる。
【００３０】
室内機３は、詳細な図示は省略するが、ファンと熱交換器とをケーシングに内蔵したファンコイルユニットから構成され、ファンの駆動によって空調対象域Ｋの空気を吸い込んで熱交換器に通風させて熱媒体Ｎとの熱交換により冷却した上で空調対象域Ｋに冷気として吹き出すように構成されている。ちなみに、室内機３については、例えば、天井や壁面等に設置することができ、その設置箇所から冷気を吹き出すことができる。
【００３１】
循環供給手段４は、熱源設備２からの熱媒体Ｎを複数の室内機３に分配供給する往路４ａと、複数の室内機３からの熱媒体Ｎを熱源設備２に戻す復路４ｂと、往路４ａ及び復路４ｂに亘って熱媒体Ｎを通流させる循環ポンプ（図示省略）を備えている。
【００３２】
このセントラル方式の空調装置１は、空調対象域Ｋに対して冷房のみを行う冷房専用装置として構成されている。そのため、空調装置１としては、温調機能を冷房に絞る形態で装置構成を簡素化することが可能となり、施設Ｓの省エネルギ化を図ることができる。
【００３３】
外調機１０は、ファン１１を備えており、そのファン１１の作動により、外気取込路１３を通して外気Ｇを取り込み、その取り込んだ外気Ｇを外気導入路１４を通して空調対象域Ｋに導入するように構成されている。空調対象域Ｋに対する外気導入箇所については、例えば、天井や壁面から外気を導入することができる。外調機１０は、ファン１１に加えて、空調対象域Ｋに導入する空気を加熱可能な熱交換器１２（空気加熱手段に相当する）を備えており、その熱交換器１２に対して、温熱を有する熱媒体を循環供給する熱源１５が備えられている。ちなみに、この熱源１５は、外調機１０の直近に設置されており、熱源設備２よりも能力の小さいものを適用することができる。また、熱源１５として、例えば、圧縮式冷凍回路を備えるものであれば、その冷凍回路における冷媒を熱媒体として用いることができ、この熱媒体については、冷媒に限らず、温水等の他の熱媒体も適用可能である。
【００３４】
外調機１０は、図２に示すように、熱交換器１２で加熱しない状態で空調対象域Ｋに外気Ｇのみを導入する換気専用運転と、図１に示すように、熱交換器１２で加熱した加熱空気を空調対象域Ｋに吹き出す暖房運転との切り替えが可能に構成されている。この運転の切り替えについては、熱源１５から熱交換器１２に温熱を有する熱媒体を循環供給するか否かを切り替えることで実現されている。
【００３５】
外気取込路１３の途中部位には、施設Ｓの空調対象域Ｋの域内空気Ａ１を通流させる還気路１６が接続されており、取り込み外気Ｇに空調対象域Ｋの域内空気Ａ１を合流させるように構成されている。還気路１６には、取り込み外気Ｇに合流させる域内空気量を調整するダンパー１７が備えられている。
【００３６】
この空調システム１００には、セントラル方式の空調装置１及び外調機１０の運転を制御することで、空調対象域Ｋの空調を制御する制御装置２０（制御手段に相当する）が備えられている。この実施形態では、施設Ｓがショッピングモール等であることから、開店時間及び閉店時間を基準として、この施設Ｓの稼動時間帯が設定されている。例えば、開店時間よりも設定時間だけ手前から、閉店時間よりも設定時間だけ後までの時間帯を稼動時間帯に設定することができる。制御装置２０は、１日(２４時間)において、設定された稼動時間帯に、空調対象域Ｋの空調を行うように、セントラル方式の空調装置１及び外調機１０の運転を制御している。
【００３７】
稼動時間帯の間常時、制御装置２０は、図１及び図２に示すように、空調対象域Ｋの二酸化炭素濃度に応じて外調機１０による空調対象域Ｋへの外気導入量を調整する外気導入量制御を行っている。空調対象域Ｋの二酸化炭素濃度については、空調対象域Ｋに二酸化炭素センサを設置することで、その空調対象域Ｋの二酸化炭素濃度を計測している。この外気導入量制御では、制御装置２０が、空調対象域Ｋの二酸化炭素濃度に応じて換気に必要な最小限度に外気導入量を絞る形態で、空調対象域Ｋの二酸化炭素濃度が高いほど、空調対象域Ｋへの外気導入量を増加させるようにファン１１の回転速度を制御している。このように、制御装置２０が外気導入量制御を行うことで、空調対象域Ｋの換気を適切に行うことができる。
【００３８】
外気導入量制御として、空調対象域Ｋの二酸化炭素濃度に代えて、空調対象域Ｋの人数に応じて外調機１０による空調対象域Ｋへの外気導入量を調整することもできる。空調対象域Ｋの人数については、施設Ｓの出入口に設置されたカメラや各種のセンサ等（図示省略）を用いて計測することができる。この場合には、制御装置２０は、空調対象域Ｋの人数に応じて換気に必要な最小限度に外気導入量を絞る形態で、空調対象域Ｋの人数が多いほど、空調対象域Ｋへの外気導入量を増加させるようにファン１１の回転速度を制御している。
【００３９】
施設Ｓの稼動初期の時間帯（例えば、稼動開始から１、２時間の間の時間帯）には、図１に示すように、制御装置２０が、セントラル方式の空調装置１を運転させずに、外調機１０に、熱交換器１２で加熱した加熱空気を空調対象域Ｋに吹き出す暖房運転を行わせている。つまり、制御装置２０は、外調機１０におけるファン１１の回転速度を制御するとともに、熱源１５から熱交換器１２に温熱を有する熱媒体を循環供給するようにしている。
【００４０】
この外調機１０による暖房運転では、制御装置２０がダンパー１７を開き状態に切り替えることで、還気路１６を通して給送される空調対象域Ｋの域内空気Ａ１と取り込み外気Ｇとの合流空気Ａ２を外調機１０における熱交換器１２にて加熱している。これにより、熱交換器１２にて加熱された合流空気Ａ２を、外気導入路１４を通して空調対象域Ｋに供給して空調対象域Ｋの暖房を行うようにしている。
【００４１】
ここで、還気路１６は、例えば、施設Ｓの最上階や各階における天井側等、空調対象域Ｋの上方側部位から域内空気Ａ１を取り込むことができる。このように、空調対象域Ｋの上方側部位から温かい域内空気Ａ１を取り込むことで、その域内空気Ａ１を用いた暖房を行うことができ、空調効率の面で有利になる。
【００４２】
稼動時間帯の初期では、例えば、作業員による準備作業等を行っており、発熱源となる多数の人が来場する前の時間帯である。よって、上述のような暖房を行うことで、作業員の作業環境としても好適な環境を確保することができる。しかも、この暖房を行うために、比較的能力の小さな熱源１５だけを用いているので、施設Ｓの省エネルギ化を図りながら、暖房の要求にも適切に応えることができる。
【００４３】
外調機１０にて空調対象域Ｋを暖房するに当たり、比較的能力の小さな熱源１５を用いており、熱交換器１２にて加熱するだけでは極高温まで吹出温度を高くできない等の理由から、外調機１０による吹出温度には限界があり、そのために、外調機１０で空調対象域Ｋの暖房を行うには相応の吹出風量が必要となる。一方、暖房運転を行う場合には、外気導入量制御も行っていることから、空調対象域Ｋの実情に応じて換気に必要な最小限度に外気導入量を絞られるので、この外気導入量だけでは吹出風量が不足する可能性がある。
【００４４】
そこで、本実施形態では、制御装置２０は、外調機１０による暖房運転時には、外調機１０による空調対象域Ｋへの吹出風量が設定風量以上になるように、還気路１６を通して取り込み外気Ｇに合流させる域内空気量を調整する暖房風量制御を実行するように構成されている。この暖房風量制御では、制御装置２０が、外調機１０による空調対象域Ｋへの吹出風量が設定風量以上になるように、ダンパー１７の開度及びファン１１の回転速度を制御している。つまり、外気導入量だけでは、空調対象域Ｋへの吹出風量が設定風量に不足する場合には、制御装置２０が、その不足分を空調対象域Ｋの域内空気Ａ１にて賄うように、ダンパー１７の開度を開き側に調整するとともに、ファン１１の回転速度も増大側に調整している。設定風量については、例えば、外調機１０による吹出温度や空調対象域Ｋの広さ等の各種条件に基づいて、一定の風量又は可変の風量を予め設定しておくことができる。
【００４５】
この暖房風量制御を行うことで、外気Ｇだけでは吹出風量が不足する場合において空調対象域Ｋの域内空気Ａ１を取り込み外気Ｇに合流させて吹出風量不足分を賄うことができ、空調対象域Ｋを適切に暖房することができる。しかも、吹出風量不足分を賄うのが、空調対象域Ｋの域内空気Ａ１であり、この空調対象域Ｋの域内空気Ａ１は、既に外調機１０にて空調されて空調対象域Ｋに供給された空気が含まれているので、外気よりも空調負荷の小さなものとなっている。よって、外気Ｇよりも空調負荷の小さな空調対象域Ｋの域内空気Ａ１にて吹出風量不足分を賄うことで、空調効率を高く保ちながら、空調対象域Ｋの暖房を適切に行うことができる。
【００４６】
施設Ｓの稼動初期の時間帯が経過すると、図２に示すように、制御装置２０は、外調機１０を暖房運転から換気専用運転に切り替えるとともに、セントラル方式の空調装置１を冷房運転させるようにしている。つまり、制御装置２０は、ダンパー１７を閉じ状態に切り替え、熱源１５から熱交換器１２への熱媒体の循環供給を停止して、外調機１０を暖房運転から換気専用運転に切り替えている。また、制御装置２０は、熱源設備２から複数の室内機３に熱媒体Ｎを循環供給するとともに、室内機３におけるファンの駆動によって空調対象域Ｋの空気を吸い込んで冷却した上で空調対象域Ｋに冷気として吹き出すようにしている。
【００４７】
このようにして、施設Ｓの稼動時間帯には、制御装置２０が、基本的に外気導入量制御を行うことで、空調対象域Ｋの実情に応じた換気を行いながら、暖房の要求がある稼動初期の時間帯には外調機１０による暖房運転を行うことで、空調効率を高く保ちつつ暖房を行うことができる。また、稼動初期の時間帯を経過した後においては、制御装置２０が、外調機１０による換気専用運転及びセントラル方式の空調装置１による冷房運転を行うことで、発熱源となる多数の人が来場した場合でも冷房の要求に適切に応えながら、換気についても適切に行うことができる。
【００４８】
〔別実施形態〕
（１）上記実施形態において、外調機１０による暖房運転は、特に冬期に好適なものであるので、冬期のみ、施設Ｓの稼動初期の時間帯に行うように設定することもできる。つまり、冬期では、施設Ｓの稼動初期の時間帯に外調機１０による暖房運転を行い、その稼動初期の時間帯が経過すると、外調機１０を暖房運転から換気専用運転を切り替える。春期や夏季等の冬期以外では、施設Ｓの稼動初期の時間帯から、外調機１０を換気専用運転させる。
【００４９】
また、外調機１０による暖房運転の実行を指令する人為操作式の操作指令部を備え、その操作指令部にて外調機１０による暖房運転の実行が指令されたときのみ、外調機１０による暖房運転を行うことも可能である。
【００５０】
（２）上記実施形態では、外調機１０による暖房運転において、熱交換器１２の加熱対象を域内空気Ａ１と取り込み外気Ｇの合流空気Ａ２としているが、熱交換器１２の加熱対象を取り込み外気Ｇとし、その熱交換器１２にて加熱された取り込み外気Ｇに域内空気Ａ１を合流させて合流空気Ａ２として空調対象域Ｋに供給することもできる。逆に、熱交換器１２の加熱対象を域内空気Ａ１とし、その熱交換器１２にて加熱された域内空気Ａ１に取り込み外気Ｇを合流させて合流空気Ａ２として空調対象域Ｋに供給することもできる。
【００５１】
（３）上記実施形態では、セントラル方式の空調装置１が冷房専用装置として構成され、外調機１０が換気暖房機として構成されているが、逆に、セントラル方式の空調装置１を暖房専用装置として構成し、外調機１０を換気冷房機として構成することもできる。この場合には、熱源設備２が温熱を有する熱媒体を室内機３に循環供給し、熱源１５が冷熱を有する熱媒体を熱交換器１２に循環供給する。
【００５２】
この場合には、上記実施形態とは逆に、外気導入量制御の実行下において、外調機１０による冷房運転時には、外調機１０による空調対象域への吹出風量が設定風量以上になるように、還気路を通して取り込み外気に合流させる域内空気量を調整する冷房風量制御を実行するようにしている。
【産業上の利用可能性】
【００５３】
本発明は、施設の熱源設備から熱媒体を施設内の空調対象域に設置した室内機に循環供給して空調対象域の温度を調整するセントラル方式の空調装置と、外気を取り込んで空調対象域に導入する換気用の外調機が備えられている各種の空調システムに適用可能である。
【符号の説明】
【００５４】
１            セントラル方式の空調装置
２            熱源設備
３            室内機
１０          外調機
２０          制御装置（制御手段）
１００        空調システム
Ａ１          域内空気
Ａ２          合流空気
Ｇ            外気
Ｋ            空調対象域
Ｓ            施設
【図１】
2015206519.tif 000003
【図２】
2015206519.tif 000004